(57)【特許請求の範囲】
【請求項１】
内容物の注出経路を形成する注出筒を有し、下向きに開放された環状溝を打栓によって容器の口頚部先端に嵌合させて固定保持する内外二重の筒体からなるベースキャップと、このベースキャップに着脱可能に保持され、前記注出筒をその内側に収める蓋体とを備えた注出栓であって、
前記蓋体の下面に、該蓋体の装着状態で前記注出筒の注出経路内に嵌挿され、該注出経路の空間領域を狭める凸部を設け、
該凸部は、前記注出筒の内周壁に摺動可能に当接する環状壁部と、この環状壁部の下端部に一体連結して該注出経路を閉塞する障壁部からなり、
前記障壁部は、水平姿勢を維持する壁体と、この壁体の下面縁部にそれに沿って一体的につながり、該下面縁部から最下端に向けて伸延する傾斜辺を備えた垂下片、または、径方向の中央部が最も下向きに突出した円錐壁体、または、対向位置の一方が最も高く、もう一方が最も低い傾斜壁体からなることを特徴とする注出栓。
【請求項２】
前記ベースキャップに、前記蓋体の周壁に連係して該蓋体の開放を阻止する係止片を設けたことを特徴とする請求項１に記載した注出栓。
【請求項３】
前記蓋体は、前記ベースキャップにおいて揺動可能に連結するヒンジを有することを特徴とする請求項１または２に記載した注出栓。
【発明の詳細な説明】
【技術分野】
【０００１】
本発明は、容器内の内容物の注出する注出筒を有し、ベースキャップの環状溝部を、打栓によって容器の口頚部先端に嵌合させて固定保持する構造の注出栓に関するものである。
【背景技術】
【０００２】
醤油やドレッシング等の調味材を入れる容器は、通常、その口頚部に、内容物を通す経路を形成する注出筒を備えた注出栓（瓶の開閉装置）が装着されており、容器内の内容物を使い切るまでの間は、ねじ込み式の蓋体やヒンジタイプの蓋体あるいはアンダーカットによる嵌合タイプの蓋体を注出栓に適合させて容器を密封状態に保持するようになっている（例えば、特許文献１参照）。
【０００３】
ところで、この種の注出栓においては、とくに、液状の味噌等、粘度の高いものが内容物として充填されていると、内容物の注出回数が増すにつれ、注出筒の経路上部、蓋体の下面あるいは、側面に内容物が付着していき、これが乾燥、固化して内容物のスムーズな注出が行えなくなるばかりか、蓋体を注出栓に適合させて密封することができなくなる不具合がある。
【０００４】
このため、従来は、需要者が、乾燥、固化した内容物を引き剥がす面倒な作業を行うことによって対処していたが、この場合、衛生面からも好ましいとはいえない状況にある。
【先行技術文献】
【特許文献】
【０００５】
【特許文献１】実公昭６０─３０１９７号公報
【発明の概要】
【発明が解決しようとする課題】
【０００６】
本発明の課題は、注出筒の経路内における内容物の付着、蓋体下面、側面への内容物の付着を回避して内容物のスムーズな注出を継続可能にするとともに、蓋体による容器の確実な密封を実現できる注出栓を提案するところにある。
【課題を解決するための手段】
【０００７】
本発明は、内容物の注出経路を形成する注出筒を有し、下向きに開放された環状溝を打栓によって容器の口頚部先端に嵌合させて固定保持する内外二重の筒体からなるベースキャップと、このベースキャップに着脱可能に保持され、前記注出筒をその内側に収める蓋体とを備えた注出栓であって、前記蓋体の下面に、該蓋体の装着状態で前記注出筒の注出経路内に嵌挿され、該注出経路の空間領域を狭める凸部を設け、該凸部は、前記注出筒の内周壁に摺動可能に当接する環状壁部と、この環状壁部の下端部に一体連結して該注出経路を閉塞する障壁部からなり、前記障壁部は、水平姿勢を維持する壁体と、この壁体の下面縁部にそれに沿って一体的につながり、該下面縁部から最下端に向けて伸延する傾斜辺を備えた垂下片、または、径方向の中央部が最も下向きに突出した円錐壁体、または、対向位置の一方が最も高く、もう一方が最も低い傾斜壁体からなることを特徴とする注出栓である。
【０００８】
上記の構成からなる注出栓においては、
１）ベースキャップに、前記蓋体の周壁にその先端部を連係させて該蓋体の開放を阻止する係止片を設けること、
２）蓋体は、前記ベースキャップにおいて揺動可能に連結するヒンジを有するものを適用すること、が本発明の課題解決のための具体的手段として好ましい。
【発明の効果】
【０００９】
上記の構成からなる本発明の注出栓によれば、蓋体の下面に、該蓋体の装着状態で注出筒の注出経路内に嵌挿され、該注出経路の空間を狭める凸部を設けたため、内容物の付着、固化する領域が小さくなり、容器内の内容物を出し切るまでスムーズな注出が可能となる。
【００１０】
また、本発明による上記構成の注出栓においては、凸部として、注出筒の内周壁に摺動可能に当接する環状壁部と、この環状壁部の下端部に一体連結して該注出経路を閉塞する障壁部からなるものにて構成をしたため、注出筒の内周壁に内容物が付着していても、蓋体を締めるとき、環状壁部、障壁部にて付着した内容物が掻き落とされ、付着した内容物が乾燥、固化するのを防ぐことができる。また、環状壁部は、注出筒の内周壁に摺動可能に当接するため、シール性も確保される。
【００１１】
また、本発明による注出栓によれば、障壁部として、水平姿勢を維持する壁体と、この壁体の下面縁部に沿って一体的につながり、該下面縁部から最下端に向けて伸延する傾斜辺を備えた垂下片からなるものにて構成したため、注出筒の内周壁に付着した内容物を効率よく掻き落とすことができるのに加え、壁体の下面に付着した内容物を、垂下片の傾斜片に沿って流下させることができる。
【００１２】
また、本発明による注出栓によれば、障壁部を、径方向の中央部が最も下向きに突出した円錐壁体にて構成したため、注出筒の内周壁に付着した内容物を効率よく掻き落とすことができるとともに、該円錐壁体の傾斜面を通して注出筒内に存在する内容物を流下させることが可能となる。
【００１３】
また、本発明による注出栓によれば、障壁部を、対向位置の一方が最も高く、もう一方が最も低い傾斜壁体にて構成するようにしたため、該傾斜壁体の外表面に沿わせて注出筒内の内容物を流下させることが可能となる。
【００１４】
また、上記の構成からなる本発明の注出栓によれば、ベースキャップに、前記蓋体の周壁部に連係して該蓋体の開放を阻止する係止片を設けるようにしたため、蓋体が不用意に開放するのを防止することができる。
【００１５】
また、本発明の注出栓によれば、蓋体に、ベースキャップにおいて揺動可能に連結するヒンジを設けるようにしたため、蓋体の開閉操作が容易となり、しかも、該蓋体を開放しても、該蓋体は、ベースキャップから離れることがないため、蓋体を紛失するのを防止することが可能となる。
【図面の簡単な説明】
【００１６】
【図１】本発明に従う注出栓の実施の形態を断面について模式的に示した図である。
【図２】図１に示した注出栓において、蓋体を開放した状態で示した図である。
【図３】図１に示した注出栓の外観斜視図である。
【図４】図１に示した注出栓の底面を示した図である。
【図５】本発明に従う注出栓の他の実施の形態を示した図である。
【図６】本発明に従う注出栓の他の実施の形態を示した図である。
【図７】本発明に従う注出栓の他の実施の形態を示した図である。
【図８】本発明に従う注出栓を容器の口頚部から取り外す場合の説明図である。
【発明を実施するための形態】
【００１７】
以下、図面を用いて本発明をより具体的に説明する。
図１は、本発明に従う注出栓（合成樹脂等で成形される）の実施の形態を模式的に示した図であり、図２は、図１に示した注出栓につき、その蓋体を開放した状態を示した図であり、図３は、本発明に従う注出栓の外観斜視図である。
【００１８】
図における符号１は、注出栓の主要構成部材であるベースキャップである。このベースキャップ１は、内容物の注出経路ｎを形成するリップ付きの注出筒１ａを有し、下向きに開放された環状溝１ｂを、打栓によって容器の口頚部先端２に嵌合させて固定保持する内外二重の筒体１ｃ、１ｄから構成されている。
【００１９】
また、符号３は、ベースキャップ１の外側に位置する筒体１ｄの周りを取り囲む環状帯である。この環状帯３と筒体１ｄとの相互間には、その底面を図４に示すように、それらの下端部で該環状帯３と筒体１ｄを相互につなぐとともに該環状帯３の引き起こしにより破断可能な複数の連結片４（図８参照）と、１箇所において破断不能に連結する連結部５（蓋体がヒンジにより開閉できるものである場合に、該ヒンジの対向位置に設けられる）が設けられている。ここに、本発明の実施の形態では、環状帯３とベースキャップ１の筒体１ｄとの一体化を図って単一の筒体（一重の筒体）で構成することも可能であり、この点については、限定されない。
【００２０】
また、６は、ベースキャップ１に着脱可能に保持され、注出筒１ａをその内側に収める蓋体である。この蓋体６は、ベースキャップ１の外端の周りに当接可能な下端面を有する周壁６ａと、この周壁６ａの上端に一体転結する天壁６ｂからなり、ヒンジｈを介してベースキャップ１の筒体１ｄの周りを取り囲む環状帯３に揺動可能に連結されている。
【００２１】
蓋体６は、ここでは、ヒンジタイプのものを例として示し、蓋体６の周壁６ａの内側下部に形成した係合凸部６ｃを、ベースキャップ１の上部外周壁に設けた係合凹部１ｅに嵌合させる構造のものを例として示してある。
【００２２】
本発明においては、上記蓋体６を、ねじ部によって螺合可能なものを適用することも可能であり、この点についてはとくに限定されない。
【００２３】
また、７は、蓋体６の天壁６ｂに一体的に設けられた凸部である。この凸部７は、注出筒１ａの内周壁に摺動可能に当接する環状壁部７ａと、この環状壁部７ａの下端部に一体連結して注出筒１ａの注出経路を閉塞する障壁部（水平姿勢を維持する壁体からなる）７ｂから構成されており、この凸部７によって注出筒１ａの経路ｎの空間領域を狭めるようになっている。
【００２４】
また、８は、障壁部７ｂを構成する壁体の下面縁部にそれに沿って一体的につながる垂下片である。この垂下片８は、図３に示す如く、ヒンジｈが設けられた位置に近接して形成された湾曲形状を有するものを例として示してあり、壁体の下面縁部から最下端に向けて伸延する少なくとも２つの傾斜辺８ａを有していて、壁体に内容物が付着している状態で蓋体６を締めたときに、該垂下片８の傾斜辺８ａに沿って付着した内容物を速やかに流下させることができるようになっている。
【００２５】
また、９は、蓋体６の天壁６ｂに形成された凹部を覆い隠すカバーである。カバー９は、凹部の周壁に嵌合する環状の脚部９ａと、この脚部９ａの上端に一体連結する天板９ｂからなる。蓋体６と、凸部７は、一体成形により形成されるものであり、このとき、蓋体６の天壁６ｂには、凹部が形成されることとなるが、該カバー９は、その凹部を覆い隠すために配置される。これにより凹部へのゴミの侵入を阻止することができる。なお、図示はしないが、カバー９を設ける代わりにタックシール等で覆うこともできる。また、カバー９は、その色彩を蓋体６と異なる色彩にすることで装飾効果を高めることが可能であり、さらに、天壁６ｂに形成された凹部の内側には、付属物品や能書等を収納することもできる。
【００２６】
また、１０は、環状帯３に設けられた係止片である。この係止片１０はその基部１０ａが弾性変形可能になっており、先端爪部１０ｂを、蓋体６の周壁６ａに一体的に設けられた摘み部（指の引掛け部）６ａ１に連係させることによって蓋体６の不用意な開放を阻止するようになっている。
【００２７】
係止片１０は、容器を開封するときその基部１０ａから先端爪部１０ｂを引きちぎり、これによって初めて蓋体６の開閉を可能とするバージン機能を付与するようにしてもよく、この場合、不正な開封がおこなわれたかどうか容易に把握することができる。
【００２８】
とくに、障壁部７ｂを構成する壁体の下面縁部に垂下片８を設けた蓋体６にあっては、該垂下片８の先端部が注出筒１ａの経路から出ることがないように、揺動角度を規制するのが好ましく、そのためヒンジｈが設けられた部位の周壁６ａに、蓋体６がある程度開いたところでベースキャップ１の筒体１ｄあるいは環状帯３に当接して該蓋体６の揺動を阻止するストッパーを設けるのが好ましい。
【００２９】
上記の構成からなる注出栓では、蓋体６を閉じるとき、凸部７の環状壁部７ａにより付着した内容物が掻き落とされ、しかも、注出筒１ａの注出経路ｎの空間領域が凸部７によって狭められるため、その部位で内容物が乾燥、固化することが少なくなり、内容物を使い切るまでスムーズな注出が行える。
【００３０】
また、凸部７の障壁部７ｂに内容物が付着した場合、付着した内容物は、垂下片８の傾斜辺８ａを伝わって流下することが可能である。
【００３１】
図５は、凸部７の障壁部７ｂを、径方向の中央部が最も下向きに突き出した円錐壁体にて構成した例を示したものである。
【００３２】
障壁部７ｂを円錐壁体で構成した場合に、注出筒１ａの注出経路ｎの空間領域をより狭めることが可能となり、注出経路ｎにおいて内容物が乾燥、固化するのを防ぐことができる。また、この場合、障壁部７ｂに付着した内容物は、円錐体の傾斜面を通りその中央部から容器内へと流下することとなる。
【００３３】
図６は、凸部７の障壁部７ｂを、蓋体６の摘み部（指の引掛け部）６ａ１側で最も高くし、その対向位置（ヒンジｈを設けた側）で最も低くした傾斜壁体で構成した例を示したものである。
【００３４】
障壁部７ｂを図示の如き傾斜壁体で構成することによっても、注出筒１ａの注出経路ｎの空間をより狭めることが可能となり、注出経路ｎにおいて内容物が乾燥、固化するのを防ぐことができるとともに、障壁部７ｂに付着した内容物は、傾斜壁体の傾斜面を通りその端縁から流下することとなる。
【００３５】
なお、本発明の注出栓としては、ベースキャップ１の筒体１ｃを容器の口頚部に沿って延長してその末端部に、破断予定溝に沿って破断可能な隔壁１１を設け、この隔壁１１につながるプルリング１２の引っ張りにより該隔壁１１を引きちぎって内容物の注出口を形成する、図７に示すようなバージンタイプの注出栓を構成してもよい。
【００３６】
本発明に従う注出栓は、内容物が注出経路ｎに付着して乾燥、固化するのを効果的に抑制することができる他、図８に示すように、蓋体６を掴んで上方に引っ張りあげることで連結片４を破断して該環状帯３を引き起こすことが可能であり、この環状帯３の引き起こしにより、該環状帯３がベースキャップ１の筒体１ｄから外れることとなり、ベースキャップ１の容器の口頚部に対する嵌合力は弱まる。そして、該環状帯３の引き起こし動作をそのまま継続することでベースキャップ１は、連結部５を通して引きあげられて容器の口頚部２から簡単に外すことができ、容器と注出栓の分別廃棄が可能となる。
【産業上の利用可能性】
【００３７】
本発明によれば、注出筒内での内容物の乾燥、固化を回避して容器内の内容物を使い切るまでスムーズに注出し得る注出栓が提供できる。
【符号の説明】
【００３８】
１      ベースキャップ
１ａ    注出筒
１ｂ    環状溝
１ｃ    筒体
１ｄ    筒体
１ｅ    係合凹部
２      口頚部先端
３      環状帯
４      連結片
５      連結部
６      蓋体
６ａ    周壁
６ｂ    天壁
６ｃ    係合凸部
７      凸部
７ａ    環状壁部
７ｂ    障壁部
８      垂下片
８ａ    傾斜辺
９      カバー
１０    係止片
１０ａ  基部
１０ｂ  先端爪部
１１    隔壁
１２    プルリング
ｎ      注出経路
ｈ      ヒンジ
【図１】
0005855521.tif 000002
【図２】
0005855521.tif 000003
【図３】
0005855521.tif 000004
【図４】
0005855521.tif 000005
【図５】
0005855521.tif 000006
【図６】
0005855521.tif 000007
【図７】
0005855521.tif 000008
【図８】
0005855521.tif 000009